Podtech/llm-jp-corpus-v4-ja_patent huggingface dataset:
(57)【要約】【課題】トイレットロールペーパーは、ペーパーの切り口が、紙切り板の先端で押えられ、つかみにくかった。そこで、ペーパーの切り口が、ロール本体から離れて浮いた状態にすることで、つかみやすくした、ロールペーパーホルダーを提供する。【解決手段】図２に示すように、紙切り板（１）より下方に設定されたスライドする紙切り板（２）で、ペーパーを切り取るようにしたので、ペーパーの先端は、ロール本体から垂れ下がった状態になり、次からの使用に際しては、スライドする紙切り板（２）のつまみ（５）で上に持ち上げると、図３に示すように、ペーパーの先端（７）が現われ、容易に、つかむことができる。【選択図】図３
2019034105.tif 000002
【特許請求の範囲】
【請求項１】
紙切り板（１）の上に、重ねてスライドする２枚目の紙切り板（２）を設けた、ロールペーパーホルダー。
【発明の詳細な説明】
【技術分野】
【０００１】  この発明は、スライドする紙切り板を取りつけて、ペーパーの切り口を、つかみやすくしたトイレットロールペーパホルダーに関するものである。
【背景技術】
【０００２】従来、トイレットロールペーパーは、紙切り板の先端で切り取っていた。
【発明の概要】
【０００３】  従来、トイレットロールペーパーは、２回目以後の使用に際して、ペーパーの切り口の先端が、紙切り板に押えられ、同時に、ロール本体に接着して、つかみにくかった。
本発明は、以上のような欠点をなくするためになされたものである。
【課題を解決するための手段】
【０００４】  トイレットペーパーを切り取るとき、ペーパーの切り口が、紙切り板で押さえられているため、つかみにくかった。そこで、ペーパーの切り口が、ロールペーパー本体から浮いて、垂れ下がっている状態にするため、ロールペーパー本体を押さえるための紙切り板と、切り取るためのスライドする紙切り板の２枚を設け、段差を利用して切り取り、つかみやすくしたものである。
本発明は、以上の構成よりなるトイレットロールペーパーホルダーである。
【発明の効果】
【０００５】  図２の斜視図に示すように、スライドする紙切り板（２）が、自身の重みで、常に、紙切り板（１）（点線で示す）より下に降りている状態である。ペーパーを切り取るときは、つまみ（５）で上にスライドさせれば、図３の斜視図に示すように、ペーパーの切り口（７）が現れて、つかみやすくなる。
【図面の簡単な説明】
【０００６】
【図１】本発明の斜視図である。
【図２】本発明の斜視図である。
【図３】本発明の斜視図である。
【発明を実施するための形態】
【０００７】  以下、本発明を実施するための形態について説明する。
トイレットロールペーパーホルダーの紙切り板（１）の上に、もう一枚の、溝（４）と、つまみ（５）を施した、上下にスライドする紙切り板（２）を重ね設ける。紙切り板（１）の両側には、紙切り板（２）が上下するためのスライド枠（３）と、一定のところで止めるための凸起（６）を設ける。
これを使用するときは、図２に示すように、紙切り板（２）は自身の重さで、常に、紙切り板（１）（点線で示す）より、設定された位置まで、ペーパーと共に垂れ下がっているため、スライドする紙切り板（２）のつまみ（５）で上に持ち上げると、容易に、ペーパーの切り口（７）が現われ、つかむことができる。
【符号の説明】
【０００８】１  紙切り板
２  スライドする紙切り板
３  スライド枠
４  溝
５  つまみ
６  凸起
７  ペーパの切り口
【図１】
2019034105.tif 000003
【図２】
2019034105.tif 000004
【図３】
2019034105.tif 000005
(57)【要約】【課題】ホルダーの長穴に袋口を差し込みホルダーを回転させると袋とホルダーが一体となり、袋のずれ落ち、運搬等指への負担を軽減できる運搬補助具を提供する。【解決手段】手のひらに収まる巾と長さのある硬い一本の素材の中央に長さ方向に長穴を設けたことを特徴とする袋物運搬ホルダー。【選択図】図３
2019034110.tif 000002
【特許請求の範囲】
【請求項１】
手のひらに収まる巾と長さのある硬い一本の素材の中央に長さ方向に長穴を設けたことを特徴とする袋物運搬ホルダー。
【請求項２】
手のひらに収まる巾と長さのある硬い一本の素材の中央に長さ方向に長穴を設け、長穴を芯に長さ方向をＬ型に曲げたことを特徴とする袋物運搬ホルダー。
【発明の詳細な説明】
【技術分野】
【０００１】本発明は、手指で保持運搬しずらいビニール袋の保持、持ち運びをホルダーを介し運び易くする袋物運搬に関する物である。
【背景技術】
【０００２】従来、袋口を挟む又バンドで縛るなどして運搬していた。
【発明の概要】
【発明が解決しようとする課題】
【０００３】そのために、次のような問題点があった。
（イ）例えば園芸用土の入ったビニール袋の持ち運び、保持は指が滑り、袋がずり落ちる等指への負担が大きかった。
（ロ）素早く簡単に利用できる補助具はなかった。
本発明は、これらの問題点を解決するためになされものである。
【課題を解決するための手段】
【０００４】第１の発明は、手のひらに収まる巾と長さのある硬い一本の素材中央に長さ方向に長穴を設けた袋物運搬ホルダーである。
第２の発明は、手のひらに収まる巾と長さのある硬い一本の素材中央に長さ方向に長穴を設け、長穴を芯に長さ方向をＬ型に曲げた袋物運搬ホルダーである。
【発明の効果】
【０００５】従来、内容物の入ったビニール袋の保持、持ち運びは袋のずれ落ちを防ぐ指の力、保持する指の力、指に負担がかかり難儀であつた。握り易い硬い一本のホルダーの長穴に袋口を挿入しホルダーを少し回転させると袋をホルダー全体で保持でき指への負担もなく楽に運搬できる。
第２の発明は、ホルダーをＬ型にすることによりホルダーの強度が増し重い袋物でも運搬できる。
【図面の簡単な説明】
【０００６】
【図１】本発明の平型ホルダーの平面図である。
【図２】本発明の袋物運搬ホルダーの長穴に袋の口部を差し込み少し口部を引き上げた使用例を示す正面図である。
【図３】本発明の袋物運搬ホルダーの長穴に袋の口部を差し込みホルダーを回転させ指で保持している使用例を示す正面図である。
【図４】本発明の袋物運搬ホルダーの長穴に袋の口部を差し込みホルダーを回転させ指でホルダーを保持している使用例を示す側面図である。
【図５】本発明のＬ型袋物運搬ホルダーの断面図である。
【図６】本発明のＬ型袋物運搬ホルダーの平面図である。
【発明を実施するための形態】
【０００７】以下、本発明の実施の形態について説明する。
第１の発明は、手のひらに収まる巾と長さのある硬い一本の素材の中央に長さ方向に長穴を設けた。
第２の発明は、手のひらに収まる巾と長さのある硬い一本の素材の中央に長さ方向に長穴を設け、長穴を芯に長さ方向をＬ型に曲げた構造とした。
本発明は以上のような構成である。
これを使用するときは、袋口を長穴に差し込み袋を引きだしホルダーを少し回転させ袋と一体となったホルダーを握り運搬する
ホルダーが確り袋を保持し袋のずれ落ちもなく指への負担も軽減され袋を楽に運搬できる。
【符号の説明】
【０００８】１  平型ホルダー
２  長穴
３  袋物
４  手
５  Ｌ型ホルダー
【図１】
2019034110.tif 000003
【図２】
2019034110.tif 000004
【図３】
2019034110.tif 000005
【図４】
2019034110.tif 000006
【図５】
2019034110.tif 000007
【図６】
2019034110.tif 000008
(57)【要約】【課題】  エスカレーターの移動手摺の清掃は、研磨粉や洗浄汚水の機械室への侵入を防ぐ為、エスカレーターを停止した状態で清掃を行っており、作業者は踏み段の上下動よる重労働を長時間作業強いられる作業であった。【解決手段】  エスカレーターの移動手摺を、洗剤を塗布しながら電動モータで回転ブラス回転させ清掃し、汚水を真空掃除機で吸い取る構造とすることで、エスカレーターを運転しながら自動清掃することが出来、短時間、低価格での清掃が出来るようになる。【選択図】図１
2019034851.tif 000002
【特許請求の範囲】
【請求項１】
エスカレーターの移動手摺を、洗剤を塗布しながら電動回転ブラシで清掃し、汚水を清掃直後に真空掃除機で吸い取る構造とすることにより、エスカレーターを運転して清掃することを特徴とするエスカレーター移動手摺用掃除機。
【発明の詳細な説明】
【技術分野】
【０００１】  エスカレーターの移動手摺の清掃
【背景技術】
【０００２】  エスカレーターの移動手摺は、利用者の転倒等による事故を防止する為、左右に設置してあり、踏み段と同じ速度で動いています。【０００３】  エスカレーターの移動手摺は、人の手が触れるもので、細菌やウイルスから身を守る為に、常に清潔にする必要があり、又商業施設に設置してあるものが多く、清潔性と美観の両方が要求されます。【０００４】  その為、移動手摺の汚れを取り除き、合成樹脂でコーティングすることで、除菌効果、清潔性と美観の回複を行っています。
【発明の開示】
【発明が解決しようとする課題】
【０００５】  従来から行われている、エスカレーターの手摺清掃は、研磨紙による研磨清掃と洗剤による洗浄を行っており、研磨清掃時の研磨粉や、洗剤による洗浄汚水の機械室への侵入を防ぐため、エスカレーターを停止した状態で行っている。【０００６】  清掃作業は停止したエスカレーターの踏み段を作業員が上下動して、作業しており、長時間の重労働を強いられる作業となっていた。【０００７】  交通系の施設は、終便から始発間の少ない時間で作業を行わなければならず、短時間の作業が望まれている。【０００８】  研磨粉や洗浄汚水を速やかに回収除去すれば、エスカレーターを運転しながら清掃ができ、自動清掃が可能となる。【０００９】  エスカレーターの移動手摺の汚れを、多量に速く取り除く事が出来れば施工価格を抑えられ、経済的に有益となる。
【課題を解決するための手段】
【００１０】  エスカレーター移動手摺の支持部に固定し、エスカレーターを運転しながら清掃する掃除機を提供するもので、以下に詳しく説明する。【００１１】  研磨粒子入り回転ブラシをエスカレーターの手摺面に当て、電動モータ−で回転させ、洗剤を塗布しながら清掃する【００１２】  研磨清掃用研磨ブラシは、研磨粒子の荒いものを前側に配置し、研磨粒子の細かいものを後側に配置して、荒い粒子のブラシで汚れを速く大量に取り除き、後側に配置した細かい研磨粒子のブラシで、荒い研磨痕を細かく滑らかにする。【００１３】  手摺の表面を滑らかにする事により、コート剤の塗布による艶の復元を容易にする。【００１４】  後側に配置したブラシの直ぐ後に配置した汚水回収ノズルから、ホースを介して洗浄汚水を真空掃除機により吸い取ることにより、エスカレーターを運転しながらの自動清掃ができる。
【発明の効果】
【００１５】  本発明により、掃除機を固定して清掃、汚水吸水が出来て自動清掃が出来ることにより、作業員の上下移動が無くなり、重労働から解放される。【００１６】  移動手摺の清掃速度が向上し、短時間で多量の清掃が出来ることで、交通系等の少ない作業時間での作業が可能となる。【００１７】  作業時間が短くなることにより、多量の清掃・コーティングが出来、施工価格を抑えられる。【００１８】  本発明により、エスカレーター利用者の安全と衛生的環境が向上し、清潔感と共に施設の美観的評価が向上し、商業施設において快適空間の提供ができることで、集客効果が増し経済効果の拡大に貢献出来る。
【発明を実施する為の最良の形態】
【実施例】
【００１９】  以下、本発明の実施の形態を図１から図３に基づいて説明する。【００２０】  図１において、▲１▼は電動モーター、▲２▼はプーリー１、▲３▼はプーリー２、▲４▼はプーリー３、▲５▼は回転ブラシ１で研磨粒子の大きいもの、▲６▼は回転ブラシ２で研磨粒子の小さいもので、▲７▼は駆動ベルト、▲１１▼は筐体で回転ブラシ、軸受、ベアリング、プーリーを支えるもので、エスカレーターの側版▲１８▼を▲１９▼の取付パットで挟み固定された▲１７▼の梁に、▲１５▼の筐体固定用締め付け金具で▲１２▼の固定枠を固定する。
▲１０▼の高さ調整金具を操作して、汚れの程度により、回転ブラシと▲２０▼手摺面との圧力を調整する。
エスカレーターを運転し、▲１▼の電動モーターを回転させ、▲２▼の駆動プーリー▲７▼のベルト▲３▼▲４▼のプーリーを介して、▲５▼▲６▼の回転ブラシを回転する。
図の右側に洗剤を塗布し、回転ブラシで手摺面を清掃する。手摺は図の右から左に移動する。
▲８▼の汚水回収ノズルに▲１３▼の吸水ホースを接続し、真空掃除機で汚水を吸い取る。
【図面の簡単な説明】
【００２１】
【図１】掃除機の構造を説明する、側面の透視図である。
【図２】掃除機の平面図である。
【図３】掃除機を側板に固定する為のワンタッチ式固定具と掃除機を設置した図で、図１の左側から見た図である。
【符号の説明】▲１▼  電動モーター
▲２▼  プーリー１
▲３▼  プーリー２
▲４▼  プーリー３
▲５▼  回転ブラシ１
▲６▼  回転ブラシ２
▲７▼  駆動ベルト
▲８▼  汚水回収ノズル
▲９▼  飛散防止用ブラシ
▲１０▼  高さ調整金具
▲１１▼  筐体
▲１２▼  固定枠
▲１３▼  吸水ホース
▲１４▼  軸受
▲１５▼  筐体固定用締め付け金具
▲１６▼  軸受
▲１７▼  枠固定用梁
▲１８▼  側版（ガラス）
▲１９▼  取り付け用パット
▲２０▼  移動手摺
【図１】
2019034851.tif 000003
【図２】
2019034851.tif 000004
【図３】
2019034851.tif 000005
(57)【要約】【課題】  現状の結膜炎による充血の診断は目視によるものであり、客観性に乏しい。また、目視による観察では充血の赤の濃淡を判別するのは難しく、数値化定量化が出来ない。【解決手段】  結膜充血の症状を撮影した前眼部写真をＰＣなどのディスプレイ画面１に時系列で並べて表示して、その表示された前眼部写真画像を遮光カバー５で覆われた照度センサ６で充血色の濃淡を面として計測し、充血量の変化を本体ケース２の表示部４でデジタル数値を確認する。前眼部写真を時系列で並べて比較するためには、それぞれの写真画像の中の前眼部のサイズを２インチ（３ｃｍ×４ｃｍ）程度に統一する。この測定結果を数値化定量化することで、治療や処方前の数値との比較確認ができる。【選択図】図１
2019107427.tif 000002
【特許請求の範囲】
【請求項１】
目視では判別し難い結膜充血量の時系列変化を数値化するため、ＰＣなどのディスプレイ画面上に表示した前眼部の結膜充血の写真画像を、照度センサで測定して、結膜充血量の変化を定量化することを特徴とするアイメーター。
【発明の詳細な説明】
【技術分野】
【０００１】  本発明は、結膜の充血の変化を定量化できるアイメーターに関する。
【背景技術】
【０００２】  結膜炎の診断では、目視または写真により結膜炎の拡張した血管充血の発症場所などから、結膜充血かどうかを鑑別している（非特許文献１）。この場合、結果として結膜炎が発症しているかどうかの診断が目的となっているため、充血の変化を定量化して観察することは必要とされていない。【０００３】  また、結膜の充血の変化を赤色の補色である緑色のフィルムを透して観察しても（特許文献１）、定量化する基準の評価が主観的になり、客観的な設定が難しいため、結膜炎が進行しているか、快方に向かっているかの判断を難しくしている。
【先行技術文献】
【非特許文献】
【０００４】
【非特許文献１】「日眼会誌」１０７巻１号  ｐ．８〜１０
【特許文献】
【０００５】
【特許文献１】特願２０１７−１２２６２９
【発明の概要】
【発明が解決しようとする課題】
【０００６】  現状の結膜炎の鑑別は結膜炎であるかどうかの診断であり、結膜充血による症状の時系列変化を定量化し、観察することは目的とされていない。【０００７】  また、目視による結膜面の変化を観察するために、充血の赤色の補色である緑色の透明フィルムを透して充血のパターンの変化を見ることも可能であるが、目視による判別になるため主観に頼ることになり、客観性に乏しい。
【課題を解決するための手段】
【０００８】  本発明は、従来の目視による判別に代わって、結膜充血の症状を撮影した前眼部写真をＰＣなどのディスプレイ画面に表示して、その前眼部写真画像の充血色の濃淡を照度センサで面として計測し、充血量の変化をデジタル数値として表示する。
【発明の効果】
【０００９】  本発明は、疲れ目などによる結膜充血の変化をデジタル数値で表示することで、治療及び処方の効果確認などの時系列の変化を、定量化することができる。また、眼科分野だけでなく皮膚科分野の炎症による充血の変化の測定にも使用できる。さらに、色の濃淡を照度センサにより面で数値化できるため、カラーコードなどの数値化にも応用することが可能である。
【図面の簡単な説明】
【００１０】
【図１】ディスプレイ画面に表示された写真画像測定の説明図である。
【図２】センサケースの説明図である。
【発明を実施するための形態】
【００１１】  図１はディスプレイ画面１に表示された写真画像を、センサケース２で測定して本体ケース３の表示部４で確認する。ディスプレイ画面１の写真画像のサイズは、比較できるように同じサイズにして時系列に並べて表示する。測定するには、並べて表示された写真画像ごとにセンサケース２を当てて表示部４の測定値をそれぞれ記録する。
【００１２】  図２はセンサケース２の構成で、照度センサ６に外光が直接入れないように遮光カバー５で覆い、また、照度センサ６が直接ディスプレイ画面１に接触しないように遮光カバー５により一定のスペースを取るようにしている。また、本体ケース３は表示部４と電源スイッチ７で構成される。
【００１３】  また、ディスプレイ画面１に並べて表示する写真画像のサイズは、ディスプレイ画像１とセンサ６の距離が影響するため、それぞれの写真画像の中の前眼部のサイズを２インチ（３ｃｍ×４ｃｍ）程度にすることが望ましい。
【００１４】  ディスプレイ画像１に時系列に並べて表示された写真画像を照度センサ６で測定し、測定結果のデジジタル数値を治療や処方前の数値と比較することで、治療や処方の治療効果を時系列で確認することができる。
【符号の説明】
【００１５】  １  ディスプレイ画面
２  センサケース
３  本体ケース
４  表示部
５  遮光カバー
６  照度センサ
７  電源スイッチ
【図１】
2019107427.tif 000003
【図２】
2019107427.tif 000004
(57)【要約】【課題】  本発明は、連結された単位装飾体のいずれかとチェーン状の止め具の選択的な係脱を行うことなく、装飾部のデザイン変化を簡単に行えるようにした変形可能な装身具を提供することにある。【解決手段】  本発明の変形可能な装身具は、円形又は多角形を、中心を通る線で複数に分割した形状をなす複数の単位装飾体と、所定の隣り合う単位装飾体の角部同士を除いて隣り合う単位装飾体の角部同士を回動自在に連結する連結部と、連結部が設けられていない所定の隣り合う単位装飾体同士を磁気吸着させる手段とを備える。【選択図】図１
2019107432.tif 000002
【特許請求の範囲】
【請求項１】
円形又は多角形を、中心を通る線で複数に分割した形状をなす複数の単位装飾体と、所定の隣り合う単位装飾体の角部同士を除いて隣り合う単位装飾体の角部同士を回動自在に連結する連結部と、前記連結部が設けられていない前記所定の隣り合う単位装飾体同士を磁気吸着させる手段とを備える変形可能な装身具。
【発明の詳細な説明】
【技術分野】
【０００１】  本発明は、ペンダント、イヤリング、ブレスレット、ブローチ等の変形可能な装身具に関するものである。
【背景技術】
【０００２】  従来この種の装身具としては、特開２００５−２２４４９３号公報（特許文献１参照）に示すような、複数の装飾用単位体で形成した装飾部と、チェーン等からなるこの装飾部の止め具とで形成したものが知られている。【０００３】  そして、装飾用単位体は隣り合う単位体同士を互いに回動自在に連結するための連結部材を備え、この連結部材の一端側を一方の装飾用単位体に、他端側を他方の装飾用単位体に、装飾用単位体の前後方向に延びる軸でそれぞれ枢着している。使用に際しては、装飾用単位体を輪状に連結して装飾部を形成し、その内の任意の装飾用単位体にチェーン等からなる止め具を通して吊下げるものである。
【先行技術文献】
【特許文献】
【０００４】
【特許文献１】特開２００５−２２４４９３号公報
【発明の概要】
【発明が解決しようとする課題】
【０００５】  特許文献１記載の装身具は、装飾用単位体を輪状に連結して装飾部を形成する場合、その内の任意の装飾用単位体にチェーン等からなる止め具を通して吊下げるものであるため、装飾用単位体の係合位置に応じてチェーン等からなる止め具が変形してしまい、装身具全体の装飾性が損なわれてしまうという問題があった。【０００６】  本発明は、上記の課題を解決するためになされたもので、連結された単位装飾体のいずれかとチェーン状の止め具の選択的な係脱を行うことなく、装飾部のデザイン変化を簡単に行えるようにした変形可能な装身具を提供することにある。
【課題を解決するための手段】
【０００７】  本発明の変形可能な装身具は、円形又は多角形を、中心を通る線で複数に分割した形状をなす複数の単位装飾体と、所定の隣り合う単位装飾体の角部同士を除いて隣り合う単位装飾体の角部同士を回動自在に連結する連結部と、連結部が設けられていない所定の隣り合う単位装飾体同士を磁気吸着させる手段とを備える。
【発明の効果】
【０００８】  本発明によれば、所定の単位装飾体の角部同士を除いて単位装飾体の角部同士を回動自在に連結する連結部と、この所定の単位装飾体の角部同士を吸着する磁石とを設けることにより、簡単な操作で、２通りの形態に変形可能となる。
【図面の簡単な説明】
【０００９】
【図１】本発明の装身具の一実施例を示す図である。
【図２】図１の装身具を変形させた形態を示す図である。
【図３】装身具に取り付けられるチェーンの構成を示す図である。
【発明を実施するための形態】
【００１０】  複数の単位装飾体を、円形又は多角形を、中心を通る線で複数に分割した形状とし、所定の隣り合う単位装飾体の角部同士を除いて隣り合う単位装飾体の角部同士を回動自在に連結する連結部を設けると共に連結部が設けられていない所定の隣り合う単位装飾体同士を吸着させる磁石とを備える変形可能な装身具である。
【００１１】  磁石により、連結部が設けられていない所定の隣り合う単位装飾体同士を磁気吸着させた形態では、単位装飾体が接合し、円形、又は多角形の装飾体となり、一方、連結部が設けられていない所定の隣り合う単位装飾体同士の磁石により磁気吸着を解除すると、扇形又は三角形の単位装飾体が、連結部を介して弧状に並んだ形態に変更できる。
【実施例】
【００１２】  以下、添付図１、図２に沿って一実施例を説明する。
図１は、この発明の変形可能な装身具（ネックレス）の一形態を示す。１は円を８分割した扇型の単位装飾体、２は隣り合う単位装飾体１を連結する蝶番型の連結部、３は左右両端に位置する単位装飾体１に設けられた磁石、４は左右両端に位置する単位装飾体１の円弧部の端部に設けられた丸管（チェーン取付け部）、５は両端部が丸管４に取り付けられたチェーンである。連結部２は、各単位装飾体１の円弧部分の端部（角部）を連結し、各単位装飾体１の円弧部分の端部（角部）を軸に回動自在に連結されている。尚、図１において、左右両端に位置する単位装飾体１の円弧部の一方の端部（角部）には、連結部２は設けられていない。【００１３】  図１では、扇形の単位装飾体１を偶数分割にした扇型としているが、円を奇数分割した扇型とし、中央の単位装飾体１に宝石などを取り付けられるようにしても良い。【００１４】  図１は、扇型の単位装飾体１が弧状に並んだ形態であるが、図２は、単位装飾体１を回動させ、図１における左右両端部の単位装飾体１同士を磁石５で磁気吸着することにより、全体として円形の装飾体に変形させた形態を示す。【００１５】  連結部２が設けられていない所定の隣り合う単位装飾体１同士磁気吸着させる手段として、双方に磁石５を設ける構成を示したが、これに限らず、どちらか一方を鉄などの強磁性金属で構成しても良い。【００１６】  磁気吸着される左右両端部の単位装飾体１にはそれぞれチェーン５ａ，５ｂの一端が取り付けられている。図３は、チェーン５の全体構成を示す。一方のチェーン５ａの他端には、丸環６が取り付けられ、他方のチェーン５ｂの他端は、スライド部材７内の通孔内をスライド自在に挿通すると共に丸環６を通し、折り返され、折り返されたチェーン５ｃの端部がスライド部材７に固着されている。この構成により、チェーン５全体の長さを調節でき、引き輪などの留め具を必要としないでネックレスとしての身体への脱着が容易となる。【００１７】  上記実施例では、円を分割した扇型の単位装飾体としたが、これに限らず、多角形を、各角部と中心を結ぶ線で分割した２等辺三角形型の単位装飾体としても良い。
【符号の説明】
【００１８】１    単位装飾体
２    連結部
３    磁石
５    チェーン
６    丸環
７    スライド部材
【図１】
2019107432.tif 000003
【図２】
2019107432.tif 000004
【図３】
2019107432.tif 000005
(57)【要約】      （修正有）【課題】従来は単一製品品種に準じる形状を基本単位に製作する事が一般的である。製品毎を基本とする型の場合、多面付け状態の枚様紙の毟り作業は面付け数に比例した作業回数を要するという問題を抱えている。【解決手段】型を多面付け抜き形状裁断刃のひと筆書き閉図形を単位面として多面配列した事を特徴とする枚様単位毟り型を製作提供する事で解決する。【効果】一工程が枚様用紙単で実施出来る事から作業回数の削減が図れる。【選択図】図１
2019107759.tif 000002
【特許請求の範囲】
【請求項１】
多面付け抜き形状裁断刃のひと筆書き閉図形を単位面として多面配列した事を特徴とする毟り型。
【請求項２】
その型は製品部位とカス部位毎に分類し、部位毎に多面付け抜き形状に準拠し、且つ毟り束の厚さを考慮した厚さを持たせて配列し、部位郡毎に上・下型としている事を特徴とする。
【請求項３】
上述の厚さ方向の接線面は間隙を有し毟り面又は型の接触回避を考慮する事を特徴とする。
【発明の詳細な説明】
【発明の詳細な説明】
【産業上の利用分野】
【０００１】  本発明は、板紙または段ボール紙または樹脂フィルムを用いた断裁品（例：箱）の製造工程における、毟り作業用装置で利用する型に関するものである。
【背景技術】
【０００２】  従来型は単一製品品種に準じる（一部部品も含め）形状を基本単位に製作する事が一般的である。
【発明が解決しようとする課題】
【０００３】  上述製品毎を基本とする型の場合、多面付け状態の枚様紙の毟り作業は面付け数に比例した作業回数を要するという問題を抱えている。
【課題を解決するための手段】
【０００４】  本発明は、多面付け状態の枚様紙単位の組型（製品部位・カス部位）として製作し、上記装置での毟り作業回数を枚様単位にする事で課題を解決する事にある。
【０００５】  上記課題を解決するための手段として本発明は
型を枚様単位で製作する。
型は製品部位とカス部位に分類して製作する。
型の厚さは毟り厚さを考慮した物とする。またその型厚の確保は毟り形状面部位を除き、機能が満足する事を条件に特に、指定はない。
両型の厚さ方向の境界接線面は接触回避に必要な間隙を持たせる。
事で解決する。
【発明の効果】
【０００６】  一工程が枚様用紙単で実施出来る事から作業回数の削減が図れる。
【実施例】
【０００７】  本発明による型形状の基本を、図―１に示す。
【符号の説明】
【０００９】  図１において、
▲１▼上型（通称：カス部位）
▲２▼下型（通称：製品部位）
▲３▼型装着板
【図１】
2019107759.tif 000003
【手続補正書】
【提出日】平成30年7月23日(2018.7.23)
【手続補正１】
【補正対象書類名】明細書
【補正対象項目名】全文
【補正方法】変更
【補正の内容】
【発明の詳細な説明】
【産業上の利用分野】
【０００１】  本発明は、板紙または段ボール紙または樹脂フィルムを用いた断裁品（例：箱）の製造工程における、毟り作業用装置で利用する型に関するものである。
【背景技術】
【０００２】  従来型は単一製品品種に準じる（一部部品も含め）形状を基本単位に製作する事が一般的である。
【発明が解決しようとする課題】
【０００３】  上述製品毎を基本とする型の場合、多面付け状態の枚様紙の毟り作業は面付け数に比例した作業回数を要するという問題を抱えている。
【課題を解決するための手段】
【０００４】  本発明は、多面付け状態の枚様紙単位の組型（製品部位・カス部位）として製作し、上記装置での毟り作業回数を枚様単位にする事で課題を解決する事にある。
【０００５】  上記課題を解決するための手段として本発明は
型を枚様単位で製作する。
型は製品部位とカス部位に分類して製作する。
型の厚さは毟り厚さを考慮した物とする。またその型厚の確保は毟り形状面部位を除き、機能が満足する事を条件に特に、指定はない。
両型の厚さ方向の境界接線面は接触回避に必要な間隙を持たせる。
事で解決する。
【発明の効果】
【０００６】  一工程が枚様用紙単で実施出来る事から作業回数の削減が図れる。
【実施例】
【０００７】  本発明による型形状の基本を、図−１に示す。
【符号の説明】
【０００９】  図１において、
▲１▼上型（通称：カス部位）
▲２▼下型（通称：製品部位）
▲３▼型装着板
【図面の簡単な説明】
【００１０】
【図−１】図−１は▲１▼上型（通称：カス部位）、▲２▼下型（通称：製品部位）の凹部凸部（毟り形状に整合）として必要な間隙を持たせ両（組）型をはめ込み合体する型である。両（組）型の高さ方向の間に、多面付け状態の枚様紙を、毟り形状にあわせ単枚又は複数枚挿入し、両（組）型をはめ込み合体する事により、製品部位・カス部位に毟り分離する用途に用いる型である。
【手続補正２】
【補正対象書類名】図面
【補正対象項目名】全図
【補正方法】変更
【補正の内容】
【図１】
2019107759.tif 000004
(57)【要約】【課題】従来の麻雀ゲームでは、麻雀卓を画面上に再現させる表示形態を採用しているが小画面端末上に麻雀卓を再現する場合、牌が小さく表示され、見づらく、操作しにくい。牌を大きく表示することで、小画面端末、コンピュータ、又は、表示装置に於ける麻雀ゲームの操作性を向上させる。【解決手段】山牌、及び／又は、王牌の表示を省略して、手牌、及び／又は、捨て牌の表示領域を広げる。手牌、及び／又は、河に捨てられた牌を大きく表示する。ツモ中の牌を大きく表示する。手牌から河へ牌を移動する際、牌を大きく表示する。チー、ポン、カンにより牌を移動する際、牌を大きく表示する。ドラ牌、ドラ表示牌を表示する際、牌を大きく表示する。【選択図】図１
2019107305.tif 000002
【特許請求の範囲】
【請求項１】
山牌、及び／又は、王牌の表示を省略して、手牌、及び／又は、捨て牌の表示領域を広げ、視認性／操作性を向上させた麻雀ゲームシステム。
【請求項２】
牌を大きく表示することで視認性／操作性を向上させた麻雀ゲームシステム。
【請求項３】
請求項１、及び、請求項２の特徴を有する麻雀ゲームシステム。
【発明の詳細な説明】
【技術分野】
【０００１】
本発明は、コンピュータによる麻雀ゲームシステムの画面表示方法に関するものである。
【背景技術】
【０００２】
従来の麻雀ゲームでは、麻雀卓を画面上に再現させる表示形態を採用している。
【発明の概要】
【発明が解決しようとする課題】
【０００３】
小画面端末上に麻雀卓を再現する場合、牌が小さく表示され、見づらく、操作しにくい。
牌を大きく表示することで、小画面端末、コンピュータ、又は、表示装置に於ける麻雀ゲームの操作性を向上させる。
【課題を解決するための手段】
【０００４】
山牌、及び／又は、王牌の表示を省略して、手牌、及び／又は、捨て牌の表示領域を広げる。
手牌、及び／又は、河に捨てられた牌を大きく表示する。
ツモ中の牌を大きく表示する。
手牌から河へ牌を移動する際、牌を大きく表示する。
チー、ポン、カンにより牌を移動する際、牌を大きく表示する。
ドラ牌、ドラ表示牌を表示する際、牌を大きく表示する。
【発明の効果】
【０００５】
牌を大きく表示することで、小さいものが見えにくい人、指先が大きく小画面端末を操作しにくい人、であっても、麻雀ゲームの操作性が向上する。
延いては、麻雀ゲームの利用機会が増加する。
【図面の簡単な説明】
【０００６】
【図１】山牌、及び／又は、王牌の表示を省略して、手牌、及び／又は、捨て牌の表示領域を広げた例。（捨て牌が１２牌以下の場合）
【図２】山牌、及び／又は、王牌の表示を省略して、手牌、及び／又は、捨て牌の表示領域を広げた例。（捨て牌が１２牌以上の場合）
【図３】大きく表示された移動中のツモ牌の表示例。
【図４】移動が完了して通常の大きさで表示されたツモ牌の表示例。
【図５】大きく表示された移動中の自分の捨て牌の表示例。
【図６】移動が完了して通常の大きさで表示された自分の捨て牌の表示例。
【図７】大きく表示された移動中の下家の捨て牌の表示例。
【図８】移動が完了して通常の大きさで表示された下家の捨て牌の表示例。
【図９】大きく表示された移動中の対面の捨て牌の表示例。
【図１０】移動が完了して通常の大きさで表示された対面の捨て牌の表示例。
【図１１】大きく表示された移動中の上家の捨て牌の表示例。
【図１２】移動が完了して通常の大きさで表示された上家の捨て牌の表示例。
【図１】
2019107305.tif 000003
【図２】
2019107305.tif 000004
【図３】
2019107305.tif 000005
【図４】
2019107305.tif 000006
【図５】
2019107305.tif 000007
【図６】
2019107305.tif 000008
【図７】
2019107305.tif 000009
【図８】
2019107305.tif 000010
【図９】
2019107305.tif 000011
【図１０】
2019107305.tif 000012
【図１１】
2019107305.tif 000013
【図１２】
2019107305.tif 000014
(57)【要約】【課題】町の服のリフォーム屋さん等々は、特に糸をチョクチョク取り替える。ミシン糸にはワインダー巻と木管巻があるが、チョクチョク使うのは巻の小さい木管巻である。木管巻には、ミシン糸と下糸２種類あって整理するのはこの２種類で十分である。今まで、木管巻のミシン糸と下糸は、台にカゴを置いて入れていたが、糸が混ざって面倒くさかった。【解決手段】本発明のミシン糸と下糸の整理ケースは、ミシンの周りに糸を置いとくのが作業するに都合が良くて考えたものであり、重力方向に複数の木管巻を収納する収容部と前記収納部に収納される木管巻を押さえる押さえ手段とを有する。町の服のリフォーム屋さん等々は、特に糸をチョクチョク取り替えるので順番に並べられてミシンの周りは狭いのでコンパクトに置けて良い。 【選択図】図１
2019107324.tif 000002
【特許請求の範囲】
【請求項１】
重力方向に複数の木管巻を収納する収容部と前記収納部に収納される木管巻を押さえる押さえ手段とを有するミシン糸と下糸の整理ケース。
【請求項２】
前記収納部に続き、重力方向とは異なる方向に延びる第２の収納部をさらに有する請求項１に記載のミシン糸と下糸の整理ケース。
【請求項３】
前記抑え手段は、前期木管巻に当たるボールと、このボールを押圧するバネとを有する請求項１または２に記載のミシン糸と下糸の整理ケース。
【請求項４】
ボビンを収納するボビン収納部をさらに有する請求項１から３のいずれかに記載のミシン糸と下糸の整理ケース。
【発明の詳細な説明】
【技術分野】
【０００１】
本発明は、ミシン糸と下糸を整理する整理ケースに関する。ミシンの作業にあたり考えたものである。ミシンの周りに糸を置いとくのが作業するに都合が良くて考えたものである。
【背景技術】
【０００２】
町の服のリフォーム屋さん等々は、特に糸をチョクチョク取り替える。ミシン糸にはワインダー巻と木管巻があるが、チョクチョク使うのは巻の小さい木管巻である。木管巻には、ミシン糸と下糸２種類あって整理するのはこの２種類で十分である。
【０００３】
今まで、木管巻のミシン糸と下糸は、台にカゴを置いて入れていたが、糸が混ざって面倒くさかった。このミシン糸と下糸を整理する整理ケースに関する技術として、特開平10−5476号公報に開示なれた技術がある。
【先行技術文献】
【特許文献】
【０００４】
【特許文献１】特開平10−5476号公報
【発明の概要】
【発明が解決しようとする課題】
【０００５】
今までミシンの台にカゴを置いて入れていたが糸が、混ざって面倒くさかった。また、あくまでもミシンは作業するところなので置く場所に工夫が必要である。
【課題を解決するための手段】
【０００６】
本発明は、ミシンの作業にあたり考えたものである。ミシンの周りに糸を置いとくのが作業するに都合が良くて考えたものである。
【０００７】
本発明のミシン糸と下糸の整理ケースは、重力方向に複数の木管巻を収納する収容部と前記収納部に収納される木管巻を押さえる押さえ手段とを有する。
この場合に、前記収納部に続き、重力方向とは異なる方向に延びる第２の収納部をさらに有するミシン糸と下糸の整理ケースである。
また、前記抑え手段は、前期木管巻に当たるボールと、このボールを押圧するバネとを有するミシン糸と下糸の整理ケースである。
また、ボビンを収納するボビン収納部をさらに有するミシン糸と下糸の整理ケースである。
【発明の効果】
【０００８】
本発明により、順番に並べてあると作業するに欲しい糸（ミシン糸と下糸）がすぐ取れる。こまめに作業するにあたり糸の色は取り換えるので、ミシンの近くに置く必要があるが、一目で取れると仕事の効率化に繋がる。また、ボビン（下糸）も一目で取れて作業にすぐはいれる。町の服のリフォーム屋さん等々は、特に糸をチョクチョク取り替えるので順番に並べられてミシンの周りは狭いのでコンパクトに置けて良い。
【図面の簡単な説明】
【０００９】
【図１】本発明の実施例を示す図である。
【発明を実施するための形態】
【００１０】
町の服のリフォーム屋さん等々は特に糸をチョクチョク取り替えるので順番に並べられてミシンの周りは狭いのでコンパクトに置けて良い。糸にはワインダー巻きと木菅巻きがあるがチョクチョク使うのは巻きの小さい木管巻である。木菅巻は二種類あって整理するのはこの二種類で十分である。
【００１１】
図１に本発明のミシン糸と下糸の整理ケース１を示す。複数の木管収納部２と複数のボビン収納部３を備えている。木管収納装置２には、ベアリング４をスプリング５で押し出しをする機構をもっている。木管収納装置２には、木管巻６を上から入れていくのだが、木管巻６が飛び出さないようにベアリング４をスプリング５で木管巻６を保持している。
【００１２】
図１の右には、その詳細も示すが、ベアリング４をスプリング５で押し出すようにして糸（木管巻６）飛び出すのを防ぐ。糸（木管巻６）を取り出す時は強く掴んで引けばベアリング４がスプリング５を押して取れる。
【００１３】
図１のコの字型の部材は下糸のボビン糸（下糸）を整理するボビン収納部３である。下糸をボビン糸７とよぶがコの字ケース（ボビン収納部３）に並べれば一目で取れて作業が早い。
【符号の説明】
【００１４】
１本発明のミシン糸と下糸の整理ケース
２木管収納部
３ボビン収納部
４ベアリング
５スプリング
６木管巻
７ボビン糸（下糸）
【図１】
2019107324.tif 000003